(57)【要約】【課題】本体部の構成の簡素化を可能にし、手軽に使用が可能であり、レコーダー本来の録音機能を重視することで効率性を高めることが出来ると同時に、小型化に成功したことで実際のペンと同様のデザインが可能となるとともに情報の安全性という側面までも考慮出来るボイスレコーダーペンを提供する。【解決手段】電源を印加する電源部と、ＰＣＢ上に、音声を認識するマイクと、録音作動をオンオフする録音オンオフスイッチと、マイクで認識された音声を増幅及びデジタル信号に変換、保存するマイコン及びメモリー部と、外部の操作部２００に繋がれる連結部とを備えた本体部１００と、本体部１００の一端に結合されたペン芯部１２０とによってボイスレコーダーペンを構成し、録音オンオフスイッチに連結されるとともに録音オンオフスイッチを操作する操作フックツール１１０を本体部１００の外周面に備え付ける。【選択図】図３
2008126664.tif 000002
【特許請求の範囲】
【請求項１】
電源を印加する電源部と、前記電源部と電気的に接続されたプリント基板と、前記プリント基板上に、音声を認識するマイクと、前記マイクで認識された音声の録音をオンオフする録音オンオフスイッチと、前記マイクで認識された音声を増幅及びデジタル信号に変換、保存するマイクロコンピュータ及びメモリー部と、録音された音声の出力を操作する外部の操作部が着脱可能に繋がれる連結部とを有する本体部と、
前記本体部の一端に結合されるペン芯部とを備えたボイスレコーダーペンであって、
前記録音オンオフスイッチに連結されるとともに前記録音オンオフスイッチを操作する操作フックツールが、前記本体部の外周面に備え付けられていることを特徴とするボイスレコーダーペン。
【請求項２】
前記操作フックツールは、
前記録音オンオフスイッチと連結される作動ピンと、
前記作動ピンと一体となって衣類に留めつけるためのフックピンとによって構成されることを特徴とする請求項１に記載のボイスレコーダーペン。
【請求項３】
前記本体部には、前記録音オンオフスイッチの作動方向に対応するように、前記作動ピンが挿入される貫通孔が形成されていることを特徴とする請求項２に記載のボイスレコーダーペン。
【請求項４】
前記操作部は、
前記連結部に着脱可能にはめ込まれる連結ジャックと、
前記マイクロコンピュータ及びメモリー部に保存された音声を出力する出力部と、
一端に前記連結ジャック、他端に前記出力部を備えるとともに、前記電源部の電源及び前記マイクロコンピュータ及びメモリー部に保存された音声の出力を制御する制御部とによって構成されることを特徴とする請求項１に記載のボイスレコーダーペン。
【請求項５】
前記制御部には、再生、早送り、巻戻し及び電源制御機能を持つ複数の操作ボタンが備えられていることを特徴とする請求項４に記載のボイスレコーダーペン。
【請求項６】
前記制御部には、作動状態を表示するＬＣＤウィンドウが備えられていることを特徴とする請求項４または５に記載のボイスレコーダーペン。
【発明の詳細な説明】
【技術分野】
【０００１】
本発明は、ボイスレコーダーペンに関するものであり、特に制御部を外部から連結部で連結し、ペン本体には録音オンオフスイッチと連動してこれを操作する操作フックツールを設置することによって、ペン本体の構成を簡素化し、使用上の利便性を追及したものである。
【背景技術】
【０００２】
一般的なボイスレコーダーペンについて図面を用いて説明する（特許文献１参照。）。図１は従来のボイスレコーダーペンの斜視図であり、図２は従来のボイスレコーダーペンの断面図である。
【０００３】
ボイスレコーダーペンは、本体１０と、本体１０の一面に設置された操作部１０ａと、本体１０に設けられ、再生時出力の大きさを調節するボリューム調整器４０と、本体１０の上部に結合されている固定キャップ２０と、本体１０の下部に結合されている下部カバー８０と、下部カバー８０の下部に連結されたペン芯部９０と、フックピン３０とを有している。
【０００４】
操作部１０ａは、再生、早送り、巻戻し及び電源等の複数の操作ボタン１０ｃと、操作時の機能が表示される表示ウィンドウ１０ｂとを本体１０に備えている。
【０００５】
また、この従来のボイスレコーダーペンは、複数の操作ボタン１０ｃと表示ウィンドウ１０ｂが本体１０の内部の回路基板１０ｄに電気的に繋がれるようになっている。回路基板１０ｄは、電源７０に電気的に接続されている。また、回路基板１０ｄには、マイコン及びメモリー１０ｅが搭載されている。
【０００６】
この従来のボイスレコーダーペンは、固定キャップ２０内に録音ボタン２０ａを有している。
【特許文献１】大韓民国公開特許公報第２００１-００８７６６０号
【発明の開示】
【発明が解決しようとする課題】
【０００７】
日常生活において、ペンを落とす等、本体に物理的な力が加わることは数多く発生する。上述した従来のペンの機能を備えたボイスレコーダーペンも同様の類似事例が発生する可能性がある。
【０００８】
よって、上述した多数の電子部品によって成り立つボイスレコーダーペンに様々な故障を引き起こす恐れがあり、このような故障が生じた場合、部品一つの故障のために回路基板１０ｄ全体や表示ウィンドウ１０ｂ等を新たに交換する必要が生じるが、これはコスト面の問題となり、結局は使用者に使用上の細心の注意を要させることになる。
【０００９】
また、上述した従来のボイスレコーダーペンを所定の大きさ以下に縮小して製造しようとすると、操作部１０ａ全体の大きさが縮小され、ボイスレコーダーペンの限られた操作部１０ａ内に再生、早送り、巻戻し及び電源等の複数の操作ボタン１０ｃが隣接することになる。よって、操作ボタン１０ｃの操作時に隣接する操作ボタン１０ｃと混同の恐れがあるという使用上の不便が発生することから、通常のボイスレコーダーペンよりも大きく製作せざるを得ない。
【００１０】
また、上述した従来のボイスレコーダーペンは、複数の操作ボタン１０ｃが本体１０に露出されているため誰でも操作が可能であるが、これはプライバシーや機密が維持される必要がある場合、情報の安全性についての問題が提起されることがある。
【００１１】
本発明は、上記実情に鑑みてなされたもので、出力を操作する操作部、出力部等を有線リモートコントローラー方式を用いて外部に残し、本体の構成の簡素化を可能にし、簡単な操作フックツールの操作で使用することができるため、手軽に使用が可能であり、レコーダー本来の録音機能を重視することで効率性を高めることが出来ると同時に、本体の大きさについても既存のボイスレコーダーペンに比べて小型化に成功したことで実際のペンと同様のデザインが可能となるとともに情報の安全性という側面までも考慮したボイスレコーダーペンを提供することを目的とする。
【課題を解決するための手段】
【００１２】
上記目的を達成すべく、本発明のボイスレコーダーペンは、
電源を印加する電源部と、前記電源部と電気的に接続されたプリント基板と、前記プリント基板上に、音声を認識するマイクと、前記マイクで認識された音声の録音をオンオフする録音オンオフスイッチと、前記マイクで認識された音声を増幅及びデジタル信号に変換、保存するマイクロコンピュータ及びメモリー部と、録音された音声の出力を操作する外部の操作部が着脱可能に繋がれる連結部とを有する本体部と、
前記本体部の一端に結合されるペン芯部とを備えたボイスレコーダーペンであって、
前記録音オンオフスイッチに連結されるとともに前記録音オンオフスイッチを操作する操作フックツールが、前記本体部の外周面に備え付けられていることを特徴とする。
【００１３】
また、先前記操作フックツールは、
前記録音オンオフスイッチと連結される作動ピンと、
前記作動ピンと一体となって衣類に留めつけるためのフックピンとによって構成されることを特徴とする。
【００１４】
また、前記本体部には、前記録音オンオフスイッチの作動方向に対応するように、前記作動ピンが挿入される貫通孔が形成されていることを特徴とする。
【００１５】
また、前記操作部は、
前記連結部に着脱可能にはめ込まれる連結ジャックと、
前記マイクロコンピュータ及びメモリー部に保存された音声を出力する出力部と、
一端に前記連結ジャック、他端に前記出力部を備えるとともに、前記電源部の電源及び前記マイクロコンピュータ及びメモリー部に保存された音声の出力を制御する制御部とによって構成されることを特徴とする。
【００１６】
また、前記制御部には、再生、早送り、巻戻し及び電源制御機能を持つ複数の操作ボタンが備えられていることを特徴とする。
【００１７】
最後に、前記制御部には、作動状態を表示するＬＣＤウィンドウが備えられていることを特徴とする。
【発明の効果】
【００１８】
本発明によれば、出力を操作する操作部、出力部等を有線リモートコントローラー方式を使用して外部に残し、本体構成の簡素化を可能にし、簡単な操作フックツールの操作で使用することができるため、手軽に使用が可能であり、レコーダー本来の録音機能を重視することで効率性を高めることが出来ると同時に、ペン本体の大きさも既存のボイスレコーダーペンに比べて小型化に成功したことで実際のペンと同様のデザインが可能となるとともに情報の安全性という側面までも考慮出来るボイスレコーダーペンを提供することができる。
【発明を実施するための最良の形態】
【００１９】
以下、添付されている図面を参照しながら本発明の実施の形態に係るボイスレコーダーペンを詳しく説明すると次の通りとなる。
【００２０】
図３は本実施の形態に係るボイスレコーダーペンの斜視図であり、図４は本実施の形態に係るボイスレコーダーペンの側面図であり、図５(Ａ)及び図５(Ｂ)は図４のＡ部分の拡大断面図であり、図６(Ａ)及び図６(Ｂ)は図４のＡ部分の変形例を表した図面である。
【００２１】
図３乃至図６に図示されている通り、本実施の形態に係るボイスレコーダーペン１は、本体部１００に、電源を印加する電源部１３０と、音声を認識するマイク３３０と、マイク３３０で認識された音声の録音のオンオフを行う録音オンオフスイッチ３１０と、マイク３３０で認識された音声を増幅及びデジタル信号に変換、保存するマイコン（マイクロコンピュータ）及びメモリー部３４０と、外部の操作部２００が繋がれる連結部３２０と、内蔵されたプリント基板であるＰＣＢ（Printed Circuit Board）３００とを備えている。また、本体部１００の一端には、ペン芯部１２０が結合されている。
電源部１３０のバッテリー１３０ａから電源を印加し作動する本実施の形態のボイスレコーダーペン１は、本体部１００の外周面に操作フックツール１１０がさらに備え付けられ、これによって音声を録音することが可能である。
操作部２００は、連結部３２０を介して有線リモートコントローラー方式を用いて本体部１００等の外部に接続される。
ＰＣＢ３００は電源部１３０と電気的に接続されている。
また、本実施の形態に係るボイスレコーダーペン１は、ペン芯部１２０を備えているので、ペンによる筆記が可能である。
【００２２】
操作フックツール１１０は、録音オンオフスイッチ３１０と連結される作動ピン１１０ａ、並びに、作動ピン１１０ａと一体となって衣類に留めつけるためのフックピン１１０ｂで構成される。
【００２３】
即ち、本体部１００の外周面に、作動ピン１１０ａが挿入される貫通ホールＨ（図５）が形成され、ＰＣＢ３００に搭載された録音オンオフスイッチ３１０に操作フックツール１１０の作動ピン１１０ａが連結されるように形成される。また、録音オンオフスイッチ３１０の作動方向に対応するように本体部１００の貫通ホールＨは形成されている。
【００２４】
即ち、上下（ボイスレコーダーペン１の延伸方向）（図５における矢印方向）に作動する録音オンオフスイッチ３１０である場合（図５）には、貫通ホールＨは上下の長孔によって形成され、左右（ボイスレコーダーペン１の延伸方向と直交する方向）（図６における矢印方向）に作動する録音オンオフスイッチ３１０である場合（図６）には、貫通ホールＨは左右の長孔によって形成されるものである。
【００２５】
従って、操作フックツール１１０は本体部１００の外周面に設置されるが、図５及び図６に示すように、上下若しくは左右に作動する録音オンオフスイッチ３１０に接触するように操作フックツール１１０の作動ピン１１０ａが製作され連結される。よって、使用者は操作フックツール１１０のみを左右若しくは上下に作動させることによって容易に録音が可能である。また、本体部１００の外周面には、マイク３３０へと連通するマイクホールＭＨが貫通形成されている。
【００２６】
マイク３３０を通して認識された音声は、電気的信号に変換されてＰＣＢ３００に備えられたマイコン及びメモリー部３４０に保存される。
【００２７】
図５を用いて、録音オンオフスイッチ３１０の作動方向が上下方向である場合について説明すると、マイク３３０を通して音声を録音する場合には、まず、操作フックツール１１０のフックピン１１０ｂが図５（Ａ）の上側にある状態から、フックピン１１０ｂを図５（Ｂ）に示した矢印方向である下方向に下げる。
フックピン１１０ｂを図５（Ｂ）に示すように下方向に下げることにより、録音オンオフスイッチ３１０がオン状態となり、マイク３３０を通して認識された音声が電気的信号に変換されてマイコン及びメモリー部３４０に保存される。
録音をやめる場合には、フックピン１１０ｂを図５（Ａ）に示した矢印方向である上方向に上げることにより、図５（Ａ）に示すように、録音オンオフスイッチ３１０がオフ状態となる。
なお、これとは逆に、録音オンオフスイッチ３１０を下方向に下げるとオフ状態、上方向に上げるとオン状態となるように設計することも可能である。
【００２８】
図６を用いて、録音オンオフスイッチ３１０の作動方向が左右方向である場合について説明すると、マイク３３０を通して音声を録音する場合には、まず、操作フックツール１１０のフックピン１１０ｂが図６（Ａ）の左側にある状態から、フックピン１１０ｂを図６（Ｂ）に示した矢印方向である右方向に移動させる。
フックピン１１０ｂを図６（Ｂ）に示すように右方向に移動させることにより、録音オンオフスイッチ３１０がオン状態となり、マイク３３０を通して認識された音声が電気的信号に変換されてマイコン及びメモリー部３４０に保存される。
録音をやめる場合には、フックピン１１０ｂを図６（Ａ）に示した矢印方向である左方向に移動させることにより、図６（Ａ）に示すように、録音オンオフスイッチ３１０がオフ状態となる。
なお、これとは逆に、録音オンオフスイッチ３１０を左方向に移動させるとオン状態、右方向に移動させるとオフ状態となるように設計することも可能である。
【００２９】
保存された音声の出力については、連結部３２０にはめ込まれる連結ジャック２３０と、ＰＣＢ３００に搭載されたマイコン及びメモリー部３４０に電気的信号によって保存された音声を出力する出力部２１０と、一端に連結ジャック２３０、他端に出力部２１０が電気的に接続されるとともに備えられ、電源部１３０、出力部２１０、ＰＣＢ３００、ＰＣＢ３００上のマイコン及びメモリー部３４０等を制御する制御部２２０とを備えた操作部２００を使用する。
操作部２００では、録音された音声の出力についての再生、早送り、巻戻し及び電源制御の操作などが行われる。
なお、制御部２２０は、図示しないＣＰＵ（Central Processing Unit）やメモリー等により構成されており、録音された音声の出力や電源を制御する。
【００３０】
また、操作部２００の連結ジャック２３０は、ＰＣＢ３００の連結部３２０に着脱自在に嵌めこまれる。よって、本体部１１０で録音した音声を再生する場合のみに、操作部２００を本体部１００に繋ぐことも可能である。
【００３１】
操作部２００の連結ジャック２３０はＰＣＢ３００の連結部３２０にはめ込まれ、制御部２２０にて制御が行われるが、音声の出力についての再生、早送り、巻戻し及び電源制御機能を備えた複数の操作ボタン２２０ａと、操作ボタン２２０ａを使用する際に操作ボタン２２０ａの作動状態を表示するＬＣＤ（Liquid Crystal Display）ウィンドウ２２０ｂとを有する制御部２２０は、マイコン及びメモリー部３４０に電気的信号によって保存されている音声を出力部２１０より出力することができるよう制御を行う役割を果たす。
【００３２】
また、ＰＣＢ３００のマイコン及びメモリー部３４０に電気的信号によって保存された音声は、ＰＣＢ３００の連結部３２０にはめ込まれる操作部２００の連結ジャック２３０を通じて操作部２００の制御部２２０に伝達され、制御部２２０の複数の操作ボタン２２０ａを使用して制御された後、出力部２１０を通して再び音声として出力される。
【００３３】
本実施の形態のボイスレコーダーペンでは、出力部２１０、制御部２２０等を有する操作部２００を本体部１００側とは離して外部に残して設けるようにしたので、本体部１００の構成は簡素化し、簡単な操作フックツール１１０の操作で音声の録音が可能になるとともに、レコーダー本来の録音機能を重視することで効率性を高めることができる。
【００３４】
また、本実施の形態のボイスレコーダーペンでは、本体部１００の構成が簡素化されたので、既存のボイスレコーダーペンに比べて小型化することができるとともに、実際の筆記具のみの用途のペンと同様のデザインが可能になる。
【００３５】
また、本実施の形態のボイスレコーダーペンでは、ＰＣＢ３００に搭載する電子部品が少なく、本体部１００には表示ウィンドウを有さないようにしたので、誤って落下させて部品に故障が生じた場合でも、新たな交換にかかるコストは少なく、手軽に使用できる。
【００３６】
また、本実施の形態のボイスレコーダーペンでは、出力部２１０は本体部１００側から離し、本体部１００で露出している操作部はフックピン１１０ｂのみなので、プライバシーや機密が維持される必要がある場合、情報の安全性を確保することができる。
【００３７】
以上、実施の形態を挙げて本発明を説明したが、本発明は上記実施の形態に限定されるものではなく、種々変形が可能である。例えば、本実施の形態では、制御部２２０が、音声の出力についての再生、早送り、巻戻し及び電源制御機能を備えた複数の操作ボタン２２０ａとＬＣＤウィンドウ２２０ｂとを有する例について説明したが、制御部２００は必ずしもＬＣＤウィンドウ２２０ｂを有する必要はなく、複数の操作ボタン２２０ａについても、例えば、再生のオンオフのみを操作する一つの操作ボタンを用いたり、一時停止のための操作ボタンを他に設けたり、電源制御機能は有さないものにしたり、自由に設計することが可能である。また、制御部２２０には、複数の操作ボタン２２０ａの他に、再生時出力の大きさを調整するボリューム調整器を備えさせるようにしてもよい。
【００３８】
また、本実施の形態では、操作部２２０の制御部２２０と出力部２１０とを別個のものとして説明したが、例えば制御部２２０に出力部２１０を備えさせるようにしてもよい。
【００３９】
また、本実施の形態では、録音オンオフスイッチ３１０及び作動ピン１１０ａが上下方向、および、左右方向に移動する例について説明したが、録音オンオフスイッチ３１０及び作動ピン１１０ａの移動方向は、上下、左右方向に限らず、例えば斜め方向であってもよい。その場合には、貫通ホールＨの形状も斜めの長孔によって形成される。
【００４０】
また、本実施の形態における作動ピン１１０ａとフックピン１１０ｂとは必ずしも一体形成する必要はなく、別個に製造してもよい。
【００４１】
さらに、本発明では、出力部２１０について、音声を出力することのできるあらゆる装置が使用可能であり、イヤホンやスピーカー、アンプ等がその例である。
【図面の簡単な説明】
【００４２】
【図１】従来のボイスレコーダーペンの全体構成を表す斜視図である。
【図２】図１に示した従来のボイスレコーダーペンの断面図である。
【図３】本発明の実施形態に係るボイスレコーダーペンの全体構成を表す斜視図である。
【図４】図３に示したボイスレコーダーペンの本体部等の側面図である。
【図５】（Ａ）は録音オンオフスイッチがオフ状態である図４に示したボイスレコーダーペンのＡ部分の拡大断面図であり、（Ｂ）は録音オンオフスイッチがオン状態である図４に示したボイスレコーダーペンのＡ部分の拡大断面図である。
【図６】（Ａ）は録音オンオフスイッチがオフ状態である図４に示したボイスレコーダーペンのＡ部分の変形例の拡大断面図であり、（Ｂ）は録音オンオフスイッチがオン状態である図４に示したボイスレコーダーペンのＡ部分の変形例の拡大断面図である。
【符号の説明】
【００４３】
１          ボイスレコーダーペン
１００      本体部
１１０      操作フックツール
１１０ａ    作動ピン
１１０ｂ    フックピン
１２０      ペン芯部
１３０      電源部
１３０ａ    バッテリー
２００      操作部
２１０      出力部
２２０      制御部
２２０ａ    複数の操作ボタン
２２０ｂ    ＬＣＤウィンドウ
２３０      連結ジャック
３００      ＰＣＢ（プリント基板）
３１０      録音オンオフスイッチ
３２０      連結部
３３０      マイク
３４０      マイコン（マイクロコンピュータ）及びメモリー部
【図１】
2008126664.tif 000003
【図２】
2008126664.tif 000004
【図３】
2008126664.tif 000005
【図４】
2008126664.tif 000006
【図５】
2008126664.tif 000007
【図６】
2008126664.tif 000008